(57)【要約】【課題】  複数のセルラ方式の移動通信システムのセルに同時に在圏するデュアルモードの移動通信端末装置は、いずれの移動通信システムの基地局と通信することにより高い性能が得られるかを明らかにする通信システム、移動通信端末装置及び制御局を提供する。【解決手段】  ファイル転送系のデータ通信を行っている場合（ステップＳ２０ｉの「ファイル転送系」）、スループットを評価し（ステップＳ２０ｊ）、それが高い移動通信システムの基地局を選択し、ストリーム系のデータ通信を行っている場合（ステップＳ２０ｉの「ストリーム系」）、電波品質を評価し（ステップＳ２０ｎ）、それが高い移動通信システムの基地局を選択する。そして、選択された基地局と通信中の基地局が異なっている場合（ステップＳ２０ｅの「異なる」）、ハンドオーバを行う。【選択図】  図７
2007134993.tif 000002
【特許請求の範囲】
【請求項１】
移動通信端末装置と制御局とが複数の移動通信システムの基地局を介してデータ通信を行う通信システムであって、
前記移動通信端末装置は、前記移動通信システム毎に、その移動通信システムの基地局から送信された電波が受信された際の電波品質と前記データ通信のスループットとの対応を記憶するスループット記憶手段と、
前記移動通信システムの基地局から送信された電波を受信して、その受信された電波の電波品質を測定する電波品質測定手段と、
前記電波品質測定手段によって測定された電波品質に対応して前記スループット記憶手段に記憶されたスループットが高い移動通信システムの基地局へのハンドオーバ要求を前記制御局に送信するハンドオーバ要否判断手段とを有し、
前記制御局は、前記移動通信端末装置から送信されたハンドオーバ要求を受信して、その受信されたハンドオーバ要求に従って、前記複数の移動通信システムの基地局にハンドオーバ処理を指示するハンドオーバ手段を有する
ことを特徴とする通信システム。
【請求項２】
移動通信端末装置と制御局とが複数の移動通信システムの基地局を介してデータ通信を行い、前記制御局が前記複数の移動通信システムの基地局にハンドオーバ処理を指示する通信システムの移動通信端末装置であって、
前記移動通信端末装置は、前記移動通信システム毎に、その移動通信システムの基地局から送信された電波が受信された際の電波品質と前記データ通信のスループットとの対応を記憶するスループット記憶手段と、
前記移動通信システムの基地局から送信された電波を受信して、その受信された電波の電波品質を測定する電波品質測定手段と、
前記測定手段によって測定された電波品質に対応して前記スループット記憶手段に記憶されたスループットが高い移動通信システムの基地局へのハンドオーバ要求を前記制御局に送信するハンドオーバ要否判断手段とを有する
ことを特徴とする移動通信端末装置。
【請求項３】
移動通信端末装置と制御局とが複数の移動通信システムの基地局を介してデータ通信を行ない、前記移動通信端末装置が前記移動通信システムの基地局から送信された電波を受信した際の電波品質と前記データ通信のスループットとを前記制御局に送信する通信システムの制御局であって、
前記制御局は、前記移動通信端末装置によって送信された電波品質とデータ通信のスループットとを受信して、その受信された電波品質とデータ通信のスループットとの対応を前記電波を送信した基地局が属する移動通信システム毎に記憶するスループット記憶手段と、
前記移動通信端末装置から送信された電波品質を受信して、その電波品質に対応して前記スループット記憶手段に記憶されたスループットが高い移動通信システムの基地局へのハンドオーバ処理を前記複数の移動通信システムの基地局に指示するハンドオーバ手段とを有する
ことを特徴とする制御局。
【発明の詳細な説明】
【技術分野】
【０００１】
本発明は、通信システム、移動通信端末装置及び制御局に係り、特に複数の移動通信システムの基地局間のハンドオーバ処理に関する。
【背景技術】
【０００２】
セルラ方式の移動通信システムでは、移動通信サービスエリアをセルと呼ばれる小規模な領域に分割し、各セルに基地局を設置する。そして、移動通信端末装置は、あるセルに在圏中では、そのセルに設置された基地局との間の無線回線を確立して通信する。
【０００３】
また、移動通信端末装置があるセルからそのセルに隣接するセルに移動する場合には、移動通信システムは、ハンドオーバ処理を行なう。即ち、移動通信システムは、移動通信端末装置が通信する基地局を、移動通信端末装置が移動前に在圏していたセルに設置された基地局から移動通信端末装置が移動後に在圏するセルに設置された基地局に切替えて、移動通信端末装置の通信品質を維持する。
【０００４】
ＣＤＭＡ（Code Division Multiple Access）方式などでは、移動通信端末装置は、通信中の基地局から送信された電波と、その基地局に隣接した基地局（Neighboring Cells）から送信された電波とを受信して、受信されたそれぞれの電波の品質を測定する。そして、移動通信システムは、移動通信端末装置が通信中の基地局から送信された電波の品質よりも高い品質の電波を受信した場合には、その高い品質の電波を送信した基地局を新たな通信する基地局とするハンドオーバを行なう。
【０００５】
ここで、移動通信端末装置がデュアルモード、即ち、複数の移動通信システムとの通信が可能であって、かつ、移動通信端末装置が複数の移動通信システムのセルに同時に在圏する場合、移動通信システムは、電波の品質に基づいて基地局を選択するのではなく、それらの移動通信システムの特性に従って、移動通信端末装置がいずれの移動通信サービスの基地局と通信するかを決定することによって、使用者に優れたサービスを提供している。
【０００６】
例えば、セルラ方式の移動通信システムとの通信と、無線ＬＡＮ（Local Area Network）方式の通信システムとの通信とが可能なデュアルモードの移動通信端末装置は、無線ＬＡＮ方式の通信システムの通信速度はセルラ方式の移動通信システムの通信速度と比較して大変に速いので、無線ＬＡＮ方式の通信システムのアクセスポイントと通信することによって高い性能、即ち高速な通信を行う。
【０００７】
しかし、無線ＬＡＮ方式の通信システムのセルの大きさはセルラ方式の移動通信システムのセルの大きさに比較して大変に小さいため、移動通信端末装置が高速に移動中には、移動通信端末装置はセルラ方式の移動通信システムの基地局を選択して通信する処理が知られている（例えば、特許文献１参照。）。
【特許文献１】特開２００４−２０８００１号公報（第２−４頁、図１）
【発明の開示】
【発明が解決しようとする課題】
【０００８】
しかしながら、上述した特許文献１に開示されている方法では、複数のセルラ方式の移動通信システムのセルに同時に在圏するデュアルモードの移動通信端末装置は、いずれの移動通信システムの基地局と通信することにより高い性能が得られるかが明らかでない問題点があった。
【０００９】
例えば、第２世代または第２．５世代のセルラ方式の移動通信システムと、そのシステムと比較して、セルの大きさがやや大きく、通信速度がやや速い第３世代の移動通信システムとの２つの移動通信システムのセルに同時に在圏する移動通信端末装置は、いずれの移動通信システムの基地局と通信することによって高い性能が得られるかが明らかでない。
【００１０】
本発明は、上記問題点を解決するためになされたもので、複数のセルラ方式の移動通信システムのセルに同時に在圏するデュアルモードの移動通信端末装置は、いずれの移動通信システムの基地局と通信することにより高い性能が得られるかを明らかにする通信システム、移動通信端末装置及び制御局を提供することを目的とする。
【課題を解決するための手段】
【００１１】
上記目的を達成するために、本発明の通信システムは、移動通信端末装置と制御局とが複数の移動通信システムの基地局を介してデータ通信を行う通信システムであって、前記移動通信端末装置は、前記移動通信システム毎に、その移動通信システムの基地局から送信された電波が受信された際の電波品質と前記データ通信のスループットとの対応を記憶するスループット記憶手段と、前記移動通信システムの基地局から送信された電波を受信して、その受信された電波の電波品質を測定する電波品質測定手段と、前記電波品質測定手段によって測定された電波品質に対応して前記スループット記憶手段に記憶されたスループットが高い移動通信システムの基地局へのハンドオーバ要求を前記制御局に送信するハンドオーバ要否判断手段とを有し、前記制御局は、前記移動通信端末装置から送信されたハンドオーバ要求を受信して、その受信されたハンドオーバ要求に従って、前記複数の移動通信システムの基地局にハンドオーバ処理を指示するハンドオーバ手段を有することを特徴とする。
【発明の効果】
【００１２】
本発明によれば、複数のセルラ方式の移動通信システムのセルに同時に在圏するデュアルモードの移動通信端末装置は、いずれの基地局と通信することにより高い性能を提供できるかを明らかにすることができる通信システム、移動通信端末装置及び制御局を提供することができる。
【発明を実施するための最良の形態】
【００１３】
以下に、本発明による通信システム、移動通信端末装置及び制御局の実施の形態を、図面を参照して説明する。
【００１４】
（第１の実施形態）
図１は、本発明の第１の実施形態に係わる通信システムの構成を示すブロック図である。この通信システムは、移動通信端末装置１と、制御局２と、移動通信端末装置１と制御局２とを接続する第１の移動通信システムの基地局（以後、第１の基地局と称する。）３ａと、移動通信端末装置１と制御局２とを接続する第２の移動通信システムの基地局（以後、第２の基地局と称する。）３ｂとからなる。
【００１５】
更に、この通信システムは、移動通信端末装置１と第１の基地局３ａとを接続する第１の無線通信網４ａと、移動通信端末装置１と第２の基地局３ｂとを接続する第２の無線通信網４ｂと、第１の基地局３ａ及び第２の基地局３ｂと、制御局２とを接続する有線通信網５とを含む。
【００１６】
ここで、第１の基地局３ａと第１の無線通信網４ａとは第１の移動通信システムに属し、第２の基地局３ｂと第２の無線通信網４ｂとは第２の移動通信システムに属しているものとする。第１の移動通信システムは、例えば第２世代の移動通信システムであり、１つの基地局がカバーするセルは小さいが、データ通信用チャネルの速度は遅い。一方、第２の移動通信システムは、例えば第３世代の移動通信システムであり、１つの基地局がカバーするセルは大きいが、データ通信用チャネルの速度は速い。
【００１７】
図２は、本発明の第１の実施形態に係る移動通信端末装置１の構成を示すブロック図である。この移動通信端末装置１は、装置全体の制御を行う制御部１１と、第１の基地局３ａ及び第２の基地局３ｂとの間で電波の送受信を行うアンテナ１２ａと、通信部１２ｂと、送受信部１３と、スピーカ１４ａと、マイクロフォン１４ｂと、通話部１４ｃと、表示部１５と、入力装置１６と、電子メール送受信部１７と、ストリーム再生部１８と、復号部１９と、ハンドオーバ要否判断部２０とからなる。
【００１８】
図３は、ハンドオーバ要否判断部２０の詳細な構成を示すブロック図である。このハンドオーバ要否判断部２０は、送受信部１３と接続される受信電波品質測定部２０ａと、送受信部１３と接続される受信信号誤り率測定部２０ｂと、制御部１１と接続されるハンドオーバ要否決定部２０ｃと、制御部１１と接続されるスループット推定部２０ｄとスループット格納部２０ｅから構成される。
【００１９】
図４は、本発明の第１の実施形態に係る制御局２の構成を示すブロック図である。この制御局２は、制御部２１と、第１の有線通信部２２と、第２の有線通信部２３と、ハンドオーバ部２４とからなる。
【００２０】
続いて上記のように構成された通信システムの各部の動作について、図１〜図８を参照して説明する。
【００２１】
まず、移動通信端末装置１を構成する各部の動作から説明する。
【００２２】
制御部１１は、以下に説明するように、２つのアプリケーション処理部、即ち、電子メール送受信部１７とストリーム再生部１８とのいずれが動作中であるか否か、及び、それらの処理部のデータ通信のスループットを把握する。そして、いずれの処理部が動作中であるか、及び、上記スループットを所定時間間隔でハンドオーバ要否判断部２０に通知する。また、制御部１１は、通信している移動通信システムを把握する。更に、制御部１１は、ハンドオーバ要否判断部２０からハンドオーバするとの通知があると、ハンドオーバするとの制御信号を第１の基地局３ａまたは第２の基地局３ｂを経由して、制御局２に送信してハンドオーバを要求する。
【００２３】
例えば、制御局２が移動通信端末装置１から送信されたハンドオーバするとの制御信号を受信せず、第１の基地局３ａから送信された電波を受信した際の電波品質及び第２の基地局３ｂから送信された電波を受信した際の電波品質を受信し、これらの電波品質によってハンドオーバするか否かの決定をする場合、制御部１１は、ハンドオーバするとの制御信号を制御局２に送信しない。その制御信号に代えて、制御部１１は、現在通信中の基地局（第１の基地局３ａ及び第２の基地局３ｂのいずれか）から送信された電波を受信した際の電波品質として、以下に説明する受信電波品質測定部２０ａによって測定された品質より低い値を制御局２に送信し、ハンドオーバ先の基地局（第１の基地局３ａ及び第２の基地局３ｂのいずれかであって、現在通信中の基地局でない基地局）から送信された電波を受信した際の電波品質として、受信電波品質測定部２０ａによって測定された品質より高い値を制御局２に送信する。
【００２４】
また、制御局２が移動通信端末装置１から送信されたその他の情報によってハンドオーバするか否かの決定をする場合、制御部１１は、その情報を操作して制御局２に送信することによって、ハンドオーバするとの決定を制御局２に送信する。
【００２５】
通信部１２ｂは、アンテナ１２ａが受信した高周波信号を送受信部１３へ出力し、送受信部１３から出力される高周波信号をアンテナ１２ａを介して送信する。送受信部１３は、通信部１２ｂからの高周波信号を増幅、周波数変換、及び復調し、パイロット信号を含む得られた信号をハンドオーバ要否判断部２０に送り、また、得られたデジタル音声信号を通話部１４ｃに、また、デジタルデータ信号と制御信号とを制御部１１に送る。また、通話部１４ｃから出力されるデジタル音声信号、及び制御部１１から出力されるデジタルデータ信号と制御信号とを変調、周波数変換、及び増幅して高周波信号を得、それを通信部１２ｂに送る。
【００２６】
通話部１４ｃは、送受信部１３から出力されるデジタル音声信号をアナログ音声信号に変換し、それを増幅してスピーカ１４ａに送る。更に、マイクロフォン１４ｂから出力される音声信号を増幅し、それをデジタル音声信号に変換して送受信部１３に送信する。
【００２７】
表示部１５は、制御部１１に制御されることで、文字・数字や画像データの表示動作を行い、表示されているデータは、入力装置１６からの入力操作や着信信号に応答して制御部１１からの指示を受けることで切換わる。
【００２８】
入力装置１６は、通信相手の電話番号や電子メールの標題と本文と送信先アドレスなどを入力するためのキーと複数の機能キーとを含むキーからなる。この入力装置１６のキーが操作されると、そのキーの識別子が制御部１１に通知され、制御部１１によって、表示部１５に文字などのキャラクターとして表示され、また、識別子に対応した機能に基づく制御が行われる。
【００２９】
次に、電子メール送受信部１７は、制御部１１が電子メール着信信号を受信した後に、制御部１１が起動することにより電子メール受信の動作を開始する。そして、受信メールの標題と、本文とを制御部１１経由で受信して、その標題と本文とを記憶部（図示せず）に記憶する。また、受信メールに添付ファイルが添付されていた場合は、この添付ファイルも記憶部に格納する。
【００３０】
そして、入力装置１６の所定のキー操作によって、電子メール閲覧の機能が選択された場合、電子メール送受信部１７は、制御部１１によって起動され、電子メール送受信部１７内に記憶された受信メールの標題と、本文とを表示部１５に表示する。
【００３１】
また、その受信メールに添付ファイルが添付されており、所定のキーが操作された場合、電子メール送受信部１７は、このファイルを記憶部から読み出して表示部１５に表示させる。なお、そのファイルが符号化されたコンテンツであれば、復号部１９を起動して復号させる。
【００３２】
更に、入力装置１６の所定のキー操作によって、電子メールの送信の機能が選択された場合、電子メール送受信部１７は、制御部１１によって起動され、入力装置１６の所定のキー操作によって、送信メールの標題と、本文とを入力する。また、入力装置１６の所定のキー操作によって、添付ファイルの添付が指示された場合、指定されたファイルを記憶部から読み出して添付ファイルとする。そして、電子メール送受信部１７は、上記送信する電子メールの送信要求を制御部１１に送信する。
【００３３】
ストリーム再生部１８は、入力装置１６の所定のキー操作によって、ストリーム再生機能が選択された場合、制御部１１によって起動される。そして、ストリーム再生部１８は、制御局２と接続されたコンテンツサーバ装置（図示せず）に入力装置１６の所定のキー操作によって指定されたコンテンツの送信を依頼し、その依頼に従ってコンテンツサーバ装置から送信された符号化されたコンテンツ情報を制御部１１経由で受信して記憶部（またはバッファ）に記憶した後にストリーム再生する。即ち、その情報を受信して所定の情報量を記憶すると、復号部１９を起動して、コンテンツを受信して記憶しつつ、記憶されたコンテンツを復号させる。
【００３４】
また、ストリーム再生部１８は、制御部１１からコンテンツを受信する速度の変更を受信して、受信された速度でのコンテンツの送信をコンテンツサーバ装置に依頼する。なお、コンテンツサーバ装置は、コンテンツを符号化する係数の変更により、または、コンテンツをなす情報の間引きと追加とにより、依頼された速度でコンテンツを送信する。
【００３５】
復号部１９は、電子メール送受信部１７、または、ストリーム再生部１８により起動され、指定されたコンテンツ情報を復号する。そして、復号された映像コンテンツを表示部１５に、また、復号された音声コンテンツをスピーカ１４ａに出力する。
【００３６】
次に、ハンドオーバ要否判断部２０の動作を、図３を参照して説明する。受信電波品質測定部２０ａは、送受信部１３から送信される第１の基地局３ａから送信された共通パイロット信号を受信して、その信号の品質を測定する。更に、送受信部１３から出力される第２の基地局３ｂから送信された共通パイロット信号を受信して、その信号の品質を測定する。そして、これらの測定された電波品質をハンドオーバ要否決定部２０ｃと、スループット推定部２０ｄに送信する。ここで、電波品質は、共通パイロット信号の強度や、その信号の信号電力対干渉雑音電力比を用いることも可能である。
【００３７】
受信信号誤り率測定部２０ｂは、送受信部１３から送信される復調された第１の基地局３ａから送信された信号を受信して、その信号の誤り率を測定する。更に、送受信部１３から送信される復調された第２の基地局３ｂから送信された信号を受信して、その信号の誤り率を測定する。そして、これらの測定された誤り率をハンドオーバ要否決定部２０ｃと、スループット推定部２０ｄに送信する。
【００３８】
ここで、スループット推定部２０ｄによって推定されスループット格納部２０ｅに格納されているスループットについて説明する。図５は、スループット格納部２０ｅに格納されているスループットの一例をグラフ形式で示している。ここで、スループットは、電波品質の関数として記憶される。なお、スループットは、制御部１１によって測定された情報に基づくものであり、データ通信を行った処理部毎に、即ち、電子メール送受信部１７が行ったデータ通信の際のスループットと、ストリーム再生部１８が行ったデータ通信の際のスループットとを区別して記憶されるが、以下の説明では、この区別を省略する。更に、スループットは、データ通信を行うチャネル毎に区別されて記憶されても良い。また、電波品質は、上記受信電波品質測定部２０ａによって測定された品質である。
【００３９】
図５で、第１の基地局３ａについてのスループットは、電波品質がＸ２以上ではＰ２であることを示す。即ち、第１の移動通信システムのセルの境界付近で、最も悪い電波品質はＸ２であり、そして、電波品質がＸ２以上であれば一定値Ｐ２であることを示す。
【００４０】
また、第２の基地局３ｂについてのスループットは、第２の移動通信システムのセルの境界付近で、最も悪い電波品質であるＸ１ではＰ１であること、そして、電波品質がＸ１から向上するに従って、即ち、移動通信端末装置１が第２の基地局３ｂに近づくに従ってスループットは向上することを示している。ここで、Ｘ１＜Ｘ２、かつ、Ｐ１＜Ｐ２である。
【００４１】
更に、電波品質が向上するに従って、即ち、移動通信端末装置１が第２の基地局３ｂに近づくに従って、電波品質がＸ３では、スループットは上記Ｐ２と等しくなり、更に電波品質が向上してＸ３を超えるに従って、スループットは上記Ｐ２を超えることを示す。ここで、Ｘ２＜Ｘ３である。
【００４２】
既に説明した通り、第２の移動通信システムに属す第２の基地局３ｂとの通信用チャネルの速度は、第１の移動通信システムに属す第１の基地局３ａとの通信用チャネルの速度より高速であるが、第２の移動通信システムのセルは大きいため、そのセルの境界付近では電波品質が第１の移動通信システムのセルの境界付近における品質より悪く、そのため、スループットが低い。そして、第２の基地局３ｂ近傍においては電波品質の向上によって、第２の移動通信システムに属す第２の基地局３ｂとの通信用チャネルの速度に対応してスループットが高いことを、上記一例は示す。
【００４３】
図６は、スループット格納部２０ｅに格納されている別のスループットの一例をグラフ形式で示している。ここで、スループットは誤り率の関数として記憶される。なお、スループットは、上述したように制御部１１によって測定された情報に基づくものであり、データ通信を行った処理部毎に記憶されるが、以下の説明では、この区別を省略する。また、誤り率は、上記受信信号誤り率測定部２０ｂによって測定された誤り率である。
【００４４】
図６で、第１の基地局３ａについてのスループットは、誤り率がＸ５以下では一定でＰ２であることを示す。ここで、第１の移動通信システムのセルの境界付近における、最も高い誤り率はＸ５である。一方、第２の基地局３ｂについてのスループットは、誤り率に依存して、誤り率が小さい程高く、それが大きい程低い。そして、誤り率がＸ４で上記Ｐ２と等しい。ここで、Ｘ４＜Ｘ５である。また、誤り率がＸ４からＸ５、更にＸ６と大きくなるに従って、スループットは低下することを示している。ここで、第２の移動通信システムのセルの境界付近における、最も高い誤り率はＸ６である。
【００４５】
以上の説明では、スループットは電波品質の関数であって、電波品質の上昇に従って下降することのない関数として、または、誤り率の関数であって、誤り率の上昇に従って上昇することのない関数として記憶されるとしたが、これに限るものではない。例えば、電波品質及び誤り率の関数として記憶されても良い。更に、スループットは、スループットの最大値を示す電波品質及び／または誤り率の関数と、スループットの最小値を示す電波品質及び／または誤り率の関数として記憶されても良い。また、電波品質及び／または誤り率の関数と、その関数が示す値からの分散の程度を示す関数として記憶されても良い。
【００４６】
また、以上の説明では、スループットの例をグラフ形式で示し、具体的には、連続関数として記憶されるとしたが、これに限るものではない。例えば、階段状の関数であるとして、具体的には、表形式で記憶されても良い。
【００４７】
次に、ハンドオーバ要否決定部２０ｃの動作を説明する。ハンドオーバ要否決定部２０ｃは、受信電波品質測定部２０ａから送信された電波品質と、受信信号誤り率測定部２０ｂから送信された誤り率と、スループット格納部２０ｅに格納されているスループットとから、移動通信端末装置１がデータ通信中に、ハンドオーバの要否を決定する装置である。
【００４８】
図７は、ハンドオーバ要否決定部２０ｃの動作のフローチャートを示す。なお、第１の基地局３ａ間のハンドオーバの要否の決定、第２の基地局３ｂ間のハンドオーバの要否の決定、及び、移動通信端末装置１が通話中のハンドオーバの要否の決定は、周知の方法によって行われるため、説明を省略する。
【００４９】
ハンドオーバ要否決定部２０ｃは、移動通信端末装置１がデータ通信中に、制御部１１によって所定の間隔で起動されて動作を開始する。その際、データ通信中のアプリケーション処理部の識別情報と、通信している移動通信システムとが引数として与えられる（ステップＳ２０ａ）。
【００５０】
次に、ハンドオーバ要否決定部２０ｃは、ハンドオーバ先の基地局の候補を選択するため、受信電波品質測定部２０ａから送信された現在通信中の基地局から送信された電波の品質と、第１の基地局３ａ（現在通信中の基地局を除く。）から送信された電波の品質と、第２の基地局３ｂ（現在通信中の基地局を除く。）から送信された電波の品質とを受信する。そして、第１の基地局３ａから送信された電波の品質と所定の閾値とを比較することにより、第１の基地局３ａへハンドオーバが可能であるか否かを評価し、更に、第２の基地局３ｂから送信された電波の品質と所定の閾値とを比較することにより、第２の基地局３ｂへハンドオーバが可能であるか否かを評価する（ステップＳ２０ｂ）。
【００５１】
第１の移動通信システムとのみ通信可能、即ち、第１の基地局３ａへのみハンドオーバが可能であると評価され、かつ、通信中の基地局が第１の基地局３ａである場合、ハンドオーバ要否決定部２０ｃは、第１の移動通信システムが通信するシステムとして適切であると判断し（ステップＳ２０ｃ）、一方、第２の移動通信システムとのみ通信可能、即ち、第２の基地局３ｂへのみハンドオーバが可能であると評価され、かつ、通信中の基地局が第２の基地局３ｂである場合、第２の移動通信システムが通信するシステムとして適切であると判断する（ステップＳ２０ｄ）。そして、現在通信している移動通信システムと、通信するシステムとして適切であると判断された移動通信システムとが同じであるか異なるかを調べる（ステップＳ２０ｅ）。
【００５２】
次に、ハンドオーバ要否決定部２０ｃは、現在通信している移動通信システムと、通信するシステムとして適切であると判断された移動通信システムが異なる場合、ハンドオーバすると決定し（ステップＳ２０ｆ）、一方、それらのシステムが同じである場合、ハンドオーバしないと決定して（ステップＳ２０ｇ）、それらの決定を制御部１１に通知して動作を終了する（ステップＳ２０ｈ）。
【００５３】
なお、ステップＳ２０ｇでハンドオーバしないと決定されたことは、第１の基地局３ａ間のハンドオーバ、第２の基地局３ｂ間のハンドオーバ、または、移動通信端末装置１が通話中のハンドオーバをしないとの決定を必ずしも意味しない。既に述べた通り、これらのハンドオーバの処理は、周知の方法によって行われるため、説明を省略する。
【００５４】
また、ステップＳ２０ｂの動作に引き続いてステップＳ２０ｃの動作、またはステップＳ２０ｂの動作に引き続いてステップＳ２０ｄの動作を経た場合、ステップＳ２０ｅで、現在通信している移動通信システムと、通信するシステムとして適切であると判断された移動通信システムとが同じであると判断されることは明白であるので、ステップＳ２０ｅの判断の動作を省いてステップＳ２０ｇのハンドオーバしないと決定する動作を行っても良い。
【００５５】
なお、ハンドオーバすると決定した場合、そのハンドオーバによって、データ通信のスループットが変化することが多い。そして、その変化はデータ通信中のアプリケーション処理部の動作に影響を及ぼすことがある。そのため、ハンドオーバ要否決定部２０ｃは、ハンドオーバすると決定した場合、ハンドオーバ後のデータ通信のスループットをスループット格納部２０ｅから求めて、制御部１１に通知する。
【００５６】
ステップＳ２０ｂで、第１の移動通信システムと通信可能であり、かつ、第２の移動通信システムと通信可能である場合、即ち、第１の基地局３ａへハンドオーバが可能であり、かつ、通信中の基地局が第２の基地局３ｂである場合、及び、第２の基地局３ｂへハンドオーバが可能であり、かつ、通信中の基地局が第１の基地局３ａである場合、ハンドオーバ要否決定部２０ｃは、制御部１１から通知された、現在データ通信中のアプリケーション処理部の性質がストリーム系であるか、ファイル転送系であるかを調べる（ステップＳ２０ｉ）。
【００５７】
ここで、ストリーム系とは、通信されたデータが所定の余裕量を保ちつつ、通信と同時に別の処理部に送られる処理を行うことを言い、ストリーム再生部１８がストリーム系の処理部の一例である。即ち、ストリーム再生部１８は、コンテンツデータを受信し、所定の余裕量を保ちつつ、受信されたコンテンツデータを復号部１９に復号させる。
【００５８】
一方、ファイル転送系とは、通信されたデータの全て、例えば、１つのファイルの全てのデータの通信完了を待って、通信されたデータが別の処理部に送られる処理を行うことを言い、電子メール送受信部１７がファイル転送系の処理部の一例である。即ち、電子メール送受信部１７は、添付ファイルが添付されているか否かに係らず、１通の電子メールの全ての情報の通信の終了を待って、その終了を制御部１１に通知する。
【００５９】
ステップＳ２０ｉで、現在データ通信中のアプリケーション処理部の性質がファイル転送系である場合、一時的なデータ通信の速度の低下は、直ちに移動通信端末装置１の性能劣化につながることはない。例えば、電子メール送受信部１７によって受信される電子メールの受信速度の低下は、その１通の電子メールの受信が完了するまでの受信速度の平均値に影響を及ぼすことを待って、移動通信端末装置１の性能劣化につながる。
【００６０】
そこで、現在データ通信中のアプリケーション処理部の性質がファイル転送系である場合、ハンドオーバ要否決定部２０ｃは、データ通信速度の平均値が高い通信を行うべく、スループットが高い移動通信システムの基地局との通信が適切であると判断する。即ち、第１の基地局３ａ（通信中の基地局またはハンドオーバ先の基地局。）と通信する場合のスループットと、第２の基地局３ｂ（通信中の基地局またはハンドオーバ先の基地局。）と通信する場合のスループットとを比較して、それらのスループットの大小を評価する（ステップＳ２０ｊ）。
【００６１】
ここで、スループットを得るために、ハンドオーバ要否決定部２０ｃは、受信電波品質測定部２０ａによって測定された電波品質から得られるスループットをスループット格納部２０ｅから求めても良く、また、受信信号誤り率測定部２０ｂによって測定された誤り率から得られるスループットを求めても良い。更に、上記電波品質及び上記誤り率から求めても良い。
【００６２】
第１の基地局３ａと通信する場合のスループットが第２の基地局３ｂと通信する場合のスループットより大きいと評価された場合、ハンドオーバ要否決定部２０ｃは、第１の移動通信システムが通信するシステムとして適切であると判断し（ステップＳ２０ｋ）、既に説明したステップＳ２０ｅ以降のハンドオーバをするか否かの決定を行い、動作を終了する。
【００６３】
一方、第２の基地局３ｂと通信する場合のスループットが第１の基地局３ａと通信する場合のスループットより大きいと評価された場合、ハンドオーバ要否決定部２０ｃは、第２の移動通信システムが通信するシステムとして適切であると判断し（ステップＳ２０ｍ）、既に説明したステップＳ２０ｅ以降のハンドオーバをするか否かの決定を行い、動作を終了する。
【００６４】
一方、ステップＳ２０ｉで、現在データ通信中のアプリケーション処理部の性質がストリーム系である場合、データ通信の速度がたとえ一時的にせよ所定の値より低下した場合、直ちに移動通信端末装置１の性能劣化につながる。例えば、ストリーム再生部１８によって受信されるコンテンツの受信速度がたとえ一時的にせよ所定の値より低下した場合、復号部１９によって復号され、表示部１５及びスピーカ１４ａに出力される映像及び音声の途切れを発生させる可能性がある。
【００６５】
そこで、現在データ通信中のアプリケーション処理部の性質がストリーム系である場合、上記性能劣化を避けるため、ハンドオーバ要否決定部２０ｃは、データ通信速度が安定している移動通信システムの基地局との通信が適切であると判断する。即ち、ステップＳ２０ｂで行った評価と同様に、受信電波品質測定部２０ａから送信された第１の基地局３ａ（通信中の基地局またはハンドオーバ先の基地局。）から送信された電波の品質と、第２の基地局３ｂ（通信中の基地局またはハンドオーバ先の基地局。）から送信された電波の品質とのいずれが他方より良いかを評価する（ステップＳ２０ｎ）。
【００６６】
そして、第１の基地局３ａから送信された電波の品質が第２の基地局３ｂから送信された電波の品質より高く、第１の基地局３ａとの通信が安定した通信のために良いと評価された場合、ハンドオーバ要否決定部２０ｃは、第１の移動通信システムが通信するシステムとして適切であると判断し（ステップＳ２０ｋ）、既に説明したステップＳ２０ｅ以降のハンドオーバをするか否かの決定を行い、動作を終了する。
【００６７】
一方、第２の基地局３ｂから送信された電波の品質が第１の基地局３ａから送信された電波の品質より高く、第２の基地局３ｂとの通信が安定した通信のために良いと評価された場合、ハンドオーバ要否決定部２０ｃは、第２の移動通信システムが通信するシステムとして適切であると判断し（ステップＳ２０ｄ）、既に説明したステップＳ２０ｅ以降のハンドオーバをするか否かの決定を行い、動作を終了する。
【００６８】
なお、ステップＳ２０ｉで、現在データ通信中のアプリケーション処理部の性質がストリーム系である場合、ハンドオーバ要否決定部２０ｃは、ステップＳ２０ｎで、第１の基地局３ａから送信された電波の品質と、第２の基地局３ｂから送信された電波の品質とを比較して、品質が高い電波を送信した基地局にハンドオーバするとしたが、これに限るものではない。
【００６９】
例えば、第２の基地局３ｂとの通信によるスループットが、第１の基地局３ａとの通信によるスループットの最大値（第２世代の移動通信システムによるデータ通信のスループットの最大値）を超える場合、第２の移動通信システムが通信するシステムとして適切であると判断しても良い。また、第１の基地局３ａから送信された電波の品質と、第２の基地局３ｂから送信された電波の品質との差が所定値より小さい場合、スループットが大きい基地局が属する移動通信システムが通信するシステムとして適切であると判断しても良い。また、その場合、ハンドオーバの処理による負荷の増加や電力の消費量増加を避けるべく、ハンドオーバをしないと決定しても良い。
【００７０】
なお、ステップＳ２０ｂで、第１の基地局３ａへのハンドオーバが不可能であると評価され、かつ、第２の基地局３ｂへのハンドオーバが不可能であると評価された場合、ハンドオーバ要否決定部２０ｃは、その旨を制御部１１に通知して、動作を終了する（フローチャートには図示せず）。
【００７１】
次に、スループット推定部２０ｄの動作を説明する。スループット推定部２０ｄは、受信電波品質測定部２０ａから送信された電波品質と、受信信号誤り率測定部２０ｂから送信された誤り率と、制御部１１から送信された、これらの電波品質または誤り率が測定された時のデータ通信のスループットとから、スループットの関数形を推定して、スループット格納部２０ｅに格納する装置である。
【００７２】
スループット推定部２０ｄは、上記電波品質または誤り率と、上記スループットとを所定個数以上受信すると、それらを受信する度に、電波品質または誤り率とスループットの関数形を、例えば最小二乗法を用いて推定して、スループット格納部２０ｅに格納する。この格納されたスループットによって、制御部１１から送信されるデータ通信のスループットが一時的に変化した場合においても、その変化の影響を受けることなく電波品質または誤り率からスループットをより適切に推定することができる。
【００７３】
なお、スループット格納部２０ｅの説明で述べた通り、スループット推定部２０ｄは、制御部１１から送信された動作中の処理部を識別する情報を用いて、電子メール送受信部１７が行ったデータ通信の際のスループットと、ストリーム再生部１８が行ったデータ通信の際のスループットとを区別して格納する。また、第１の移動通信システムのスループットと、第２の移動通信システムのスループットとを区別して格納する。更には、第１の基地局３ａ毎に、また、第２の基地局３ｂ毎に区別して格納しても良い。
【００７４】
また、スループット推定部２０ｄは、上記電波品質または誤り率と、上記処理部を識別する情報と上記スループットとを所定個数以上受信していないため、スループットの関数形を推定することができない場合、所定の暗黙の関数形をスループット格納部２０ｅに格納する。また、上記情報を受信した個数に係わらず、所定の暗黙の関数形をスループット格納部２０ｅに格納しても良い。図５に示した、第１の基地局３ａについてのスループットがこの暗黙の関数形に相当する一例である。
【００７５】
更には、第１の基地局３ａ及び第２の基地局３ｂについて、所定の暗黙の関数形をスループット格納部２０ｅに格納する場合、ハンドオーバ要否判断部２０は、スループット推定部２０ｄを有しない構成とし、スループット格納部２０ｅには所定の関数形が初期値として記憶された構成としても良い。
【００７６】
次に、制御局２を構成する各部の動作を説明する。第１の有線通信部２２は、第１の基地局３ａ及び第２の基地局３ｂと有線通信網５を介して通信する。そして、第１の基地局３ａまたは第２の基地局３ｂから送信された制御信号を制御部２１に送信し、音声信号及びデータ信号を第２の有線通信部２３に送信する。また、制御部２１から送信された制御信号と、第２の有線通信部２３から送信された音声信号及びデータ信号とを第１の基地局３ａまたは第２の基地局３ｂに送信する。第２の有線通信部２３は、交換局（図示せず）と有線通信網（図示せず）を介して通信する。
【００７７】
ハンドオーバ部２４は、移動通信端末装置１から送信されたハンドオーバをするとの判断を示す制御信号を制御部２１経由で受信すると動作を開始する。そして、ハンドオーバ先の基地局（第１の基地局３ａまたは第２の基地局３ｂのいずれか一方の基地局）に移動通信端末装置１との通信を指示する。更に、ハンドオーバ前の基地局（第１の基地局３ａまたは第２の基地局３ｂのいずれか一方で、ハンドオーバ先の基地局ではない基地局）に移動通信端末装置１との通信中止を指示する。
【００７８】
なお、既に説明している通り、ここでのハンドオーバは、移動通信端末装置１がデータ通信中に行われる第１の基地局３ａと第２の基地局３ｂとの間のハンドオーバを指し、第１の基地局３ａ間のハンドオーバ、第２の基地局３ｂ間のハンドオーバ、及び、移動通信端末装置１が通話中のハンドオーバは、周知の方法によって行われるため、説明を省略する。
【００７９】
次に、移動通信端末装置１が第２の基地局３ｂの近傍の位置から第１の基地局３ａの近傍の位置に移動することによって、ハンドオーバが行われる一例を図８を参照して説明する。なお、ここでは、ハンドオーバ要否判断部２０は、受信された電波の品質とスループットとを対応づけてスループット格納部２０ｅに記憶されたスループットを用いると仮定するが、これに限るものではない。受信された信号の誤り率とスループットを対応づけてスループット格納部２０ｅに記憶されたスループットを用いても良い。
【００８０】
移動通信端末装置１が第２の基地局３ｂの近傍の位置Ｙ１に位置し、第２の基地局３ｂと通信している際、第２の基地局３ｂから送信された電波の品質は高く、第２の基地局３ｂとの通信によるスループットは高い。一方、第１の基地局３ａから送信された電波の品質は所定の値より低く、第１の基地局３ａへのハンドオーバはできない。即ち、第１の基地局３ａとの通信によるスループットは皆無である。
【００８１】
そこで、位置Ｙ１では、移動通信端末装置１は、第２の基地局３ｂと通信し続け（図７に示すフローチャートのステップＳ２０ｄに対応する。）、ハンドオーバしないと決定する（図７に示すフローチャートのステップＳ２０ｇに対応する。）。
【００８２】
移動通信端末装置１が第１の基地局３ａ方向に移動し、位置Ｙ２で、第１の基地局３ａから送信された電波の品質が位置Ｙ１における品質より高くなり、上記所定の値となって第１の基地局３ａへのハンドオーバが可能となり、第１の基地局３ａとの通信によるスループットが得られる。ここで、第１の基地局３ａとの通信によるスループットは一定値Ｐ３であるとする。しかし、この位置Ｙ２では、第２の基地局３ｂから送信された電波の品質は第１の基地局３ａから送信された電波の品質より高く、かつ、第２の基地局３ｂとの通信によるスループットは、第１の基地局３ａとの通信によるスループットよりは高い。
【００８３】
そのため、移動通信端末装置１は、行われているデータ通信がいずれのアプリケーションによるものであるかに係わらず、引き続き第２の基地局３ｂと通信することが適切と判断し（図７に示すフローチャートのステップＳ２０ｄまたはステップＳ２０ｍに対応する。）、ハンドオーバしないと決定する（図７に示すフローチャートのステップＳ２０ｇに対応する。）。
【００８４】
移動通信端末装置１が更に第１の基地局３ａ方向に移動し、位置Ｙ３で、第１の基地局３ａから送信された電波の品質が第２の基地局３ｂから送信された電波の品質Ｚ１を超える。ただし、第２の基地局３ｂとの通信によるスループットは、第１の基地局３ａとの通信によるスループットより高い。
【００８５】
この際、移動通信端末装置１は、行われているデータ通信が電子メール送受信部１７によるファイル転送系の通信であれば、長時間に渡る平均の通信速度が高速な通信を選択すべく、引き続きスループットが高い第２の基地局３ｂと通信することが適切であると判断し（図７に示すフローチャートのステップＳ２０ｍに対応する。）、ハンドオーバはしないと決定する（図７に示すフローチャートのステップＳ２０ｇに対応する。）。
【００８６】
一方、行われているデータ通信がストリーム再生部１８によるストリーム系の通信であれば、短時間であっても通信速度が低下しない、即ち、安定した通信を選択すべく、電波品質が高い第１の基地局３ａと通信することが適切であると判断し（図７に示すフローチャートのステップＳ２０ｋに対応する。）、ハンドオーバすると決定する（図７に示すフローチャートのステップＳ２０ｆに対応する。）。
【００８７】
移動通信端末装置１が更に第１の基地局３ａ方向に移動し、位置Ｙ４で、第１の基地局３ａから送信された電波の品質は第２の基地局３ｂから送信された電波の品質より高く、かつ、第１の基地局３ａとの通信によるスループットは、第２の基地局３ｂとの通信によるスループットを超える。
【００８８】
この際、移動通信端末装置１は、行われているデータ通信が電子メール送受信部１７によるファイル転送系の通信であれば、第１の基地局３ａと通信することが適切であると判断し（図７に示すフローチャートのステップＳ２０ｋに対応する。）、ハンドオーバすると決定する（図７に示すフローチャートのステップＳ２０ｆに対応する。）。
【００８９】
一方、行われているデータ通信がストリーム再生部１８によるストリーム系の通信であれば、移動通信端末装置１は、引き続き第２の基地局３ｂと通信することが適切であると判断し（図７に示すフローチャートのステップＳ２０ｋに対応する。）、ハンドオーバしないと決定する（図７に示すフローチャートのステップＳ２０ｇに対応する。）。
【００９０】
移動通信端末装置１が更に第１の基地局３ａ方向に移動し、位置Ｙ５で、第２の基地局３ｂから送信された電波の品質は所定の値より低く、第２の基地局３ｂとの通信はできない。即ち、第２の基地局３ｂとの通信によるスループットは皆無である。
【００９１】
上記の説明は、移動通信端末装置１が第２の基地局３ｂの近傍の位置から第１の基地局３ａの近傍の位置に近づく際、第１の基地局３ａから送信された電波の品質が第２の基地局３ｂから送信された電波の品質より高くなった後に、第１の基地局３ａとの通信によるスループットが第２の基地局３ｂとの通信によるスループットより大きくなるとした。
【００９２】
そのため、行われているデータ通信がストリーム再生部１８によるストリーム系の通信である場合、行われているデータ通信が電子メール送受信部１７によるファイル転送系の通信である場合に比較して、早くハンドオーバするとの決定がされる。
【００９３】
しかし、第１の基地局３ａとの通信によるスループットが第２の基地局３ｂとの通信によるスループットより大きくなった後に、第１の基地局３ａから送信された電波の品質が第２の基地局３ｂから送信された電波の品質より高くなる場合、上記とは逆に、行われているデータ通信が電子メール送受信部１７によるファイル転送系の通信である場合、行われているデータ通信がストリーム再生部１８によるストリーム系の通信である場合に比較して、早くハンドオーバするとの決定がされる。
【００９４】
（第２の実施形態）
次に、移動通信端末装置１及び制御局２の第２の実施形態を、図面を参照して説明する。なお、第１の実施形態に係わる移動通信端末装置１及び第１の実施形態に係わる制御局２と同じ部分については、同じ符号を付して説明を省略する。
【００９５】
図９は、第２の実施形態に係わる移動通信端末装置１の構成を示すブロック図である。
【００９６】
この移動通信端末装置１は、第１の実施形態に係わる移動通信端末装置１と比較して、制御部１１に代えて制御部１１ｂを有し、送受信部１３に代えて送受信部１３ｂを有し、そして、ハンドオーバ要否判断部２０を有しない構成である。
【００９７】
図１０は、第２の実施形態に係わる制御局２の構成を示すブロック図である。
【００９８】
この制御局２は、第１の実施形態に係わる制御局２と比較して、制御部２１に代えて制御部２１ｂを有し、そして、ハンドオーバ要否判断部２０ｆを更に有する構成である。
【００９９】
図１１は、ハンドオーバ要否判断部２０ｆの詳細な構成を示すブロック図である。このハンドオーバ要否判断部２０ｆは、制御部２１ｂと接続されるハンドオーバ要否決定部２０ｃと、制御部２１ｂと接続されるスループット推定部２０ｄとからなり、スループット推定部２０ｄによって推定されたスループットはスループット格納部２０ｅに記憶される。このハンドオーバ要否判断部２０ｆは、第１の実施形態に係わるハンドオーバ要否判断部２０と比較して、受信電波品質測定部２０ａと、受信信号誤り率測定部２０ｂとを有しない構成である。
【０１００】
上記のように構成された第２の実施形態に係わる移動通信端末装置１と、第２の実施形態に係わる制御局２の各部の動作を、図９〜図１１を参照して説明する。まず、移動通信端末装置１を構成する各部の動作から図９を参照して説明する。
【０１０１】
制御部１１ｂは、第１の実施形態の移動通信端末装置１の動作説明で述べたように、２つの処理部、即ち、電子メール送受信部１７とストリーム再生部１８とのいずれが動作中であるか否かを把握し、かつ、それらの処理部のデータ通信のスループットを把握する。そして、いずれの処理部が動作中であるか、及び、上記スループットを第１の基地局３ａまたは第２の基地局３ｂを経由して、所定時間間隔で制御局２に送信する。
【０１０２】
送受信部１３ｂは、通信部１２ｂからの高周波信号を増幅、周波数変換、及び復調し、得られたデジタル音声信号を通話部１４ｃに、また、デジタルデータ信号と制御信号とを制御部１１に送る。また、通話部１４ｃから出力されるデジタル音声信号、及び制御部１１から出力されるデジタルデータ信号と制御信号とを変調、周波数変換、及び増幅して高周波信号を得、それを通信部１２ｂに送る。
【０１０３】
更に、送受信部１３ｂは、第１の基地局３ａから送信された共通パイロット信号の品質及び第２の基地局３ｂから送信された共通パイロット信号の品質を測定する。そして、得られた品質を第１の基地局３ａまたは第２の基地局３ｂを経由して、制御局２に送信する。また、復調された第１の基地局３ａから送信された信号の誤り率及び復調された第２の基地局３ｂから送信された信号の誤り率を測定する。そして、得られた誤り率を第１の基地局３ａまたは第２の基地局３ｂを経由して、制御局２に送信する。
【０１０４】
次に、第２の実施形態に係わる制御局２の各部の動作を、図１０及び図１１を参照して説明する。制御部２１ｂは、移動通信端末装置１が通信している移動通信システムを把握する。また、移動通信端末装置１で動作中の処理部を示す制御信号とそれらの処理部のデータ通信のスループットを示す制御信号を受信し、それらの信号をハンドオーバ要否判断部２０ｆのハンドオーバ要否決定部２０ｃと、スループット推定部２０ｄに送信する。
【０１０５】
また、制御部２１ｂは、移動通信端末装置１で受信された共通パイロット信号の品質を示す制御信号及び移動通信端末装置１で受信された信号の誤り率を示す制御信号を受信し、それらの信号をハンドオーバ要否判断部２０ｆのハンドオーバ要否決定部２０ｃと、スループット推定部２０ｄに送信する。更に、ハンドオーバ要否判断部２０ｆから送信された移動通信端末装置１をハンドオーバするとの信号を受信し、その信号をハンドオーバ部２４に送信する。
【０１０６】
ハンドオーバ要否判断部２０ｆのスループット推定部２０ｄは、第１の実施形態においては受信電波品質測定部２０ａから送信された信号及び受信信号誤り率測定部２０ｂから送信された信号を受信したが、第２の実施形態においては、それらに代えて制御部２１ｂから送信された信号を受信するものの、動作は同一である。
【０１０７】
また、ハンドオーバ要否判断部２０ｆのハンドオーバ要否決定部２０ｃは、第１の実施形態においては受信電波品質測定部２０ａから送信された信号、受信信号誤り率測定部２０ｂから送信された信号及び制御部１１から送信された信号を受信したが、第２の実施形態においては、それらに代えて制御部２１ｂから送信された信号を受信する。更に、第１の実施形態においては決定を制御部１１に送信したが、第２の実施形態においては、それに代えて制御部２１ｂに送信するものの、動作は同一である。
【０１０８】
以上の説明では、移動通信端末装置１は、ストリーム系のデータ通信を行っている場合、スループットが高い移動通信システムの基地局が適切であり、ファイル転送系のデータ通信を行っている場合、電波品質が高い移動通信システムの基地局が適切であると判断して、適切であると判断された基地局と通信中の基地局が異なっている場合、ハンドオーバを行うとしたが、これに限るものではない。
【０１０９】
例えば、スループット２０格納部ｅにスループットの最大値を示す関数及びスループットの最小値を示す関数として記憶されている場合、移動通信端末装置１は、ファイル転送系のデータ通信を行っている場合、スループットの最小値が高い移動通信システムの基地局が適切であると判断して、適切であると判断された基地局と通信中の基地局が異なっている場合、ハンドオーバを行うとしても良い。本発明は以上の構成に限定されるものではなく、種々の変形が可能である。
【図面の簡単な説明】
【０１１０】
【図１】本発明の実施形態に係る通信システムの構成を示すブロック図。
【図２】本発明の第１の実施形態に係る移動通信端末装置の構成を示すブロック図。
【図３】本発明の第１の実施形態に係るハンドオーバ要否判断部の構成を示すブロック図。
【図４】本発明の第１の実施形態に係る制御局の構成を示すブロック図。
【図５】本発明の実施形態に係るスループットの一例を示す図（第１の例）。
【図６】本発明の実施形態に係るスループットの一例を示す図（第２の例）。
【図７】本発明の実施形態に係るハンドオーバ要否決定部の動作を示すフローチャート。
【図８】本発明の実施形態に係る移動通信端末装置の移動に対する電波品質及びスループットの変化の一例を示す図。
【図９】本発明の第２の実施形態に係る移動通信端末装置の構成を示すブロック図。
【図１０】本発明の第２の実施形態に係る制御局の構成を示すブロック図。
【図１１】本発明の第２の実施形態に係るハンドオーバ要否判断部の構成を示すブロック図。
【符号の説明】
【０１１１】
１  移動通信端末装置
２  制御局
３ａ  第１の基地局
３ｂ  第２の基地局
４ａ  第１の無線通信網
４ｂ  第２の無線通信網
５  有線通信網
１１、１１ｂ、２１、２１ｂ  制御部
１３、１３ｂ  送受信部
１７  電子メール送受信部
１８  ストリーム再生部
１９  復号部
２０、２０ｆ  ハンドオーバ要否判断部
２０ａ  受信電波品質測定部
２０ｂ  受信信号誤り率測定部
２０ｃ  ハンドオーバ要否決定部
２０ｄ  スループット推定部
２０ｅ  スループット格納部
２４  ハンドオーバ部
【図１】
2007134993.tif 000003
【図２】
2007134993.tif 000004
【図３】
2007134993.tif 000005
【図４】
2007134993.tif 000006
【図５】
2007134993.tif 000007
【図６】
2007134993.tif 000008
【図７】
2007134993.tif 000009
【図８】
2007134993.tif 000010
【図９】
2007134993.tif 000011
【図１０】
2007134993.tif 000012
【図１１】
2007134993.tif 000013